(57)【要約】【課題】リモコン部に設けた操作スイッチの信号検知や表示素子の駆動制御を行う制御部に、入出力ポート数が極力少ない安価なマイコンを使用することが可能となる制御装置を提供する。【解決手段】リモコン部２に、制御部１の出力端子１Ｂ〜１Ｄから制御信号端子１３に入力するスイッチ切替信号に基づいて、複数の操作スイッチＳＷ１〜ＳＷ４に接続された複数の信号入力端子１１を択一的に切り替えて、制御部１の入力端子１Ａに接続された信号出力端子１２に導通させるマルチプレクサ１０と、制御部１の出力端子１Ｂ〜１Ｄから制御信号端子２３に入力する表示選択信号に基づいて、複数の表示素子ＬＥＤ１〜ＬＥＤ４に接続された複数の信号出力端子２２の中から選択した信号出力端子２２を、表示用駆動信号が入力する信号入力端子２１に導通させるデマルチプレクサ２０が設けられている。【選択図】  図２
2004343306.tif 000002
【特許請求の範囲】
【請求項１】
機器の制御を行う制御部と、前記制御部に対して制御用信号を入出力するリモコン部を備えた制御装置であって、
前記リモコン部に、複数の操作スイッチが設けられるとともに、前記複数の操作スイッチの夫々に接続された複数の信号入力端子、前記制御部の入力端子に接続された信号出力端子、及び、前記制御部の出力端子からスイッチ切替信号が入力する制御信号端子を有し、前記スイッチ切替信号に基づいて前記複数の信号入力端子を択一的に切り替えて前記信号出力端子に導通させるマルチプレクサが設けられている制御装置。
【請求項２】
機器の制御を行う制御部と、前記制御部に対して制御用信号を入出力するリモコン部を備えた制御装置であって、
前記リモコン部に、複数の表示素子が設けられるとともに、駆動信号源から表示用駆動信号が入力する信号入力端子、前記複数の表示素子の夫々に接続された複数の信号出力端子、及び、前記制御部の出力端子から表示選択信号が入力する制御信号端子を有し、前記表示選択信号に基づいて前記複数の信号出力端子の中から選択した信号出力端子を前記信号入力端子に導通させるデマルチプレクサが設けられている制御装置。
【請求項３】
機器の制御を行う制御部と、前記制御部に対して制御用信号を入出力するリモコン部を備えた制御装置であって、
前記リモコン部に、複数の操作スイッチと複数の表示素子が設けられるとともに、
前記複数の操作スイッチの夫々に接続された複数の信号入力端子、前記制御部の入力端子に接続された信号出力端子、及び、前記制御部の出力端子からスイッチ切替信号が入力する制御信号端子を有し、前記スイッチ切替信号に基づいて前記複数の信号入力端子を択一的に切り替えて前記信号出力端子に導通させるマルチプレクサと、
駆動信号源から表示用駆動信号が入力する信号入力端子、前記複数の表示素子の夫々に接続された複数の信号出力端子、及び、前記制御部の出力端子から表示選択信号が入力する制御信号端子を有し、前記表示選択信号に基づいて前記複数の信号出力端子の中から選択した信号出力端子を前記信号入力端子に導通させるデマルチプレクサが設けられている制御装置。
【請求項４】
前記駆動信号源が、前記デマルチプレクサに動作用電力を供給する電源で兼用構成されている請求項２又は３記載のリモコン装置。
【請求項５】
前記機器が、車内に設置した音声入力機器と音声出力機器、及び車内の電話機で構成され、前記制御部が、前記機器の制御として、車外の電話機と通話する前記車内の電話機の通話開始及び通話終了の制御を行い、且つ、前記車外の電話機との間の通話時に前記車内の電話機から音声信号を入力して前記音声出力機器に出力するとともに、前記音声入力機器から音声信号を入力して前記車内の電話機に出力する制御を行うように構成されている請求項１〜４のいずれかに記載の制御装置。
【発明の詳細な説明】
【０００１】
【発明の属する技術分野】
本発明は、機器の制御を行う制御部と、前記制御部に対して制御用信号を入出力するリモコン部を備えた制御装置に関する。
【０００２】
【従来の技術】
上記制御装置において、マイコン等からなる制御部が、リモコン部に設けた操作スイッチの信号を検知し、インジケータ等の表示素子を駆動する制御を行うためには、従来、マイコンに備える入出力ポートの数は上記操作スイッチの数やＬＥＤ等の表示素子の数と同数必要があった。その結果、入出力ポート数の限られたマイコンを使用した場合には、そのポート数に操作スイッチの数や表示素子の数を制限しなければならなかった。一方、操作スイッチの数や表示素子の数を制限しない場合には、多数の入出力ポートを備えたマイコンを使用しなければならないため、処理能力が過大な高価なマイコンが必要になる等の不都合が生じるおそれがある。
【０００３】
そこで、上記不都合を軽減するために、ダイオードマトリックス回路を採用することにより、操作スイッチの数よりも少ない入出力ポート数のマイコンを用いて、各操作スイッチの信号を検知できるようにしたリモコン装置が提案されている（例えば特許文献１参照）。なお、このダイオードマトリック方式では、例えば操作スイッチの数が８の場合には、ダイオードマトリックス回路が２行×４列＝８となるので、制御部に必要な入出力端子数は２＋４＝６で、操作スイッチの数８よりも２少なくなる。
【０００４】
【特許文献１】
特開平５−２２７５７５号公報（第２−４頁、図１〜図７）
【０００５】
【発明が解決しようとする課題】
上記従来技術では、操作スイッチの信号検知に必要なマイコンのポート数は操作スイッチの数よりも少なくなるが、さらに少ないポート数のマイコンが使用できれば、制御構成が簡素化され、コスト面で有利になる。
【０００６】
本発明は、上記実情に鑑みてなされたものであり、その目的は、リモコン部に設けた操作スイッチの信号検知や表示素子の駆動制御を行う制御部に、入出力ポート数が極力少ない安価なマイコンを使用することが可能となる制御装置を提供することにある。
【０００７】
【課題を解決するための手段】
上記目的を達成するための本発明に係る制御装置の第一の特徴構成は、請求項１に記載した如く、前記リモコン部に、複数の操作スイッチが設けられるとともに、前記複数の操作スイッチの夫々に接続された複数の信号入力端子、前記制御部の入力端子に接続された信号出力端子、及び、前記制御部の出力端子からスイッチ切替信号が入力する制御信号端子を有し、前記スイッチ切替信号に基づいて前記複数の信号入力端子を択一的に切り替えて前記信号出力端子に導通させるマルチプレクサが設けられている点にある。
【０００８】
同第二の特徴構成は、請求項２に記載した如く、前記リモコン部に、複数の表示素子が設けられるとともに、駆動信号源から表示用駆動信号が入力する信号入力端子、前記複数の表示素子の夫々に接続された複数の信号出力端子、及び、前記制御部の出力端子から表示選択信号が入力する制御信号端子を有し、前記表示選択信号に基づいて前記複数の信号出力端子の中から選択した信号出力端子を前記信号入力端子に導通させるデマルチプレクサが設けられている点にある。
【０００９】
同第三の特徴構成は、請求項３に記載した如く、前記リモコン部に、複数の操作スイッチと複数の表示素子が設けられるとともに、前記複数の操作スイッチの夫々に接続された複数の信号入力端子、前記制御部の入力端子に接続された信号出力端子、及び、前記制御部の出力端子からスイッチ切替信号が入力する制御信号端子を有し、前記スイッチ切替信号に基づいて前記複数の信号入力端子を択一的に切り替えて前記信号出力端子に導通させるマルチプレクサと、駆動信号源から表示用駆動信号が入力する信号入力端子、前記複数の表示素子の夫々に接続された複数の信号出力端子、及び、前記制御部の出力端子から表示選択信号が入力する制御信号端子を有し、前記表示選択信号に基づいて前記複数の信号出力端子の中から選択した信号出力端子を前記信号入力端子に導通させるデマルチプレクサが設けられている点にある。
【００１０】
同第四の特徴構成は、請求項４に記載した如く、上記第二又は第三の特徴構成に加えて、前記駆動信号源が、前記デマルチプレクサに動作用電力を供給する電源で兼用構成されている点にある。
【００１１】
同第五の特徴構成は、請求項５に記載した如く、上記第一から第四のいずれかの特徴構成に加えて、前記機器が、車内に設置した音声入力機器と音声出力機器、及び車内の電話機で構成され、前記制御部が、前記機器の制御として、車外の電話機と通話する前記車内の電話機の通話開始及び通話終了の制御を行い、且つ、前記車外の電話機との間の通話時に前記車内の電話機から音声信号を入力して前記音声出力機器に出力するとともに、前記音声入力機器から音声信号を入力して前記車内の電話機に出力する制御を行うように構成されている点にある。
【００１２】
以下に作用並びに効果を説明する。
本発明に係る制御装置の第一の特徴構成によれば、リモコン部に設けたマルチプレクサにおいて、複数の操作スイッチの夫々に接続された複数の信号入力端子が、制御部の出力端子から制御信号端子に入力したスイッチ切替信号に基づいて択一的に切り替えられて、制御部の入力端子に接続された信号出力端子に導通し、複数の操作スイッチの各信号が制御部の入力端子に入力する。
そして、上記スイッチ切替信号は複数の操作スイッチを択一的に切り替えるための必要最小限の信号数でよく、制御部に備える入出力端子数は、上記スイッチ切替信号の出力端子数にスイッチ信号の入力端子数を加えた数になる。例えば操作スイッチの数が８の場合には、２３＝８であるのでスイッチ切替信号数は３でよく、これにスイッチ信号の入力端子数の１を加えた４が制御部に必要な入出力端子数になり、操作スイッチの数８よりも４少なくなる。結果的に、従来のダイオードマトリックス方式で必要な入出力端子数６に比べてさらに２少なくなる。従って、リモコン部に設けた操作スイッチの信号検知を行う制御部に、入出力ポート数が極力少ない安価なマイコンを使用することが可能となる制御装置が提供される。
【００１３】
同第二の特徴構成によれば、リモコン部に設けたデマルチプレクサにおいて、複数の表示素子の夫々に接続された複数の信号出力端子の中から、制御部の出力端子から制御信号端子に入力した表示選択信号に基づいて選択された信号出力端子が、駆動信号源から表示用駆動信号が入力する信号入力端子に導通し、複数の表示素子のうちで選択された表示素子が表示用駆動信号で駆動される。
そして、上記表示選択信号は複数の表示素子の中から表示作動させる表示素子を選択するための必要最小限の信号数でよく、制御部に備える出力端子数は、上記表示選択信号の出力端子数、もしくは駆動信号源が制御部となる場合には上記表示選択信号の出力端子数に表示用駆動信号の出力端子数を加えた数になる。例えば表示素子の数が８の場合には、２３＝８であるので表示選択信号数は３となり、制御部に必要な出力端子数は、上記表示選択信号数の３、又はこれに表示用駆動信号の出力端子数の１を加えた４になり、表示素子の数８よりも５又は４少なくなる。結果的に、ダイオードマトリックス方式で表示駆動する場合に必要な出力端子数６に比べてさらに１又は２少なくなる。
従って、リモコン部に設けた表示素子の駆動制御を行う制御部に、出力ポート数が極力少ない安価なマイコンを使用することが可能となる制御装置が提供される。
【００１４】
同第三の特徴構成によれば、上記第一の特徴構成による作用効果と第二の特徴構成による作用効果を合わせた作用効果が奏される。
従って、リモコン部に設けた操作スイッチの信号検知や表示素子の駆動制御を行う制御部に、入出力ポート数が極力少ない安価なマイコンを使用することが可能となる制御装置が提供される。
【００１５】
同第四の特徴構成によれば、上記第二又は第三の特徴構成において、複数の表示素子のうちで選択された表示素子が、デマルチプレクサに動作用電力を供給する電源の出力で駆動される。
従って、制御部からリモコン部に表示用駆動信号を出力しないので、電流供給能力の大きな出力ポートを備えたマイコンを制御部に使用する必要がなく、また、マイコンの出力ポートからリモコン部に表示素子駆動用の大電流が流れるときに発生するノイズによる制御動作への悪影響を回避させることができる制御装置の好適な実施形態が提供される。
【００１６】
同第五の特徴構成によれば、上記第一から第四のいずれかの特徴構成において、制御部が行う機器の制御として、車内の電話機の車外の電話機との間の通話開始及び通話終了が制御され、通話時に車内の電話機が車外の電話機から受信した音声信号が制御部に入力したのち車内に設置した音声出力機器に出力され、車内に設置した音声入力機器に入力された音声信号が制御部に入力したのち車内の電話機に出力されて車外の電話機に送信される。
すなわち、車内の電話機で車外の電話機と通話するときに、車内の電話機を手に持って受話器を耳に当て送話器を口の前に位置させるような面倒な操作を行うことなく、車内に設置した音声出力機器と音声入力機器によって音声を入出力することができる。
この場合、さらに、リモコン部に操作スイッチとして通話開始スイッチや通話終了スイッチ等を設け、表示素子として着信表示ＬＥＤや通話中表示ＬＥＤ等を設けるようにすれば、リモコン部の表示によって着信や通話状態を知り、リモコン部から通話開始や通話終了を指令することができる。
従って、本発明に係る制御装置を車載用に適用し、車内の電話機で車外の電話機とハンズフリー式に通話することを可能にした好適な実施形態が提供される。
【００１７】
【発明の実施の形態】
本発明に係る制御装置を自動車に搭載した車載用の実施形態について、図面に基づいて説明する。
図１に示すように、本発明の制御装置は、機器Ｋの制御を行う制御部１と、制御部１に対して制御用信号を入出力するリモコン部２を備えている。具体的には、上記機器Ｋが車内に設置した音声入力機器としてのマイク３と音声出力機器としてのスピーカ４、及び車内の電話機としての携帯電話機５で構成され、前記制御部１が、前記機器Ｋの制御として、車外の電話機（図示せず）と通話する上記携帯電話機５の通話開始及び通話終了の制御を行い、且つ、車外の電話機との間の通話時に上記携帯電話機５から音声信号を入力して前記スピーカ４に出力するとともに、前記マイク３から音声信号を入力して前記携帯電話機５に出力する制御を行うように構成されている。
【００１８】
なお、詳述はしないが、制御部１と携帯電話機５には夫々Ｂｌｕｅｔｏｏｔｈ（短距離無線通信）ユニットＢＴが内蔵され、この両ＢｌｕｅｔｏｏｔｈユニットＢＴ間の通信によって、制御部１と携帯電話機５がデータを送受信する。また、例えば、制御部１を内蔵した偏平状ケース６が座席背シート上面部に設置され、この偏平状ケース６の左右両端側に、受話部を搭乗者の口に向けるために位置変更自在な支持アームで支持された前記マイク３と、前記スピーカ４を夫々取り付けて、ヘッドレストに頭を位置させた搭乗者が良好な状態で音声を入出力できるようにしている。
【００１９】
図２に示すように、前記リモコン部２に、複数の操作スイッチＳＷ１〜ＳＷ４と複数の表示素子ＬＥＤ１〜ＬＥＤ４が設けられるとともに、複数の操作スイッチＳＷ１〜ＳＷ４の夫々に接続された複数の信号入力端子１１、前記制御部１の入力端子１Ａに接続された信号出力端子１２、及び、前記制御部１の出力端子１Ｂ〜１Ｄからスイッチ切替信号が入力する制御信号端子１３を有し、前記スイッチ切替信号に基づいて前記複数の信号入力端子１１を択一的に切り替えて前記信号出力端子１２に導通させるマルチプレクサ１０と、駆動信号源から表示用駆動信号が入力する信号入力端子２１、複数の表示素子ＬＥＤ１〜ＬＥＤ４の夫々に接続された複数の信号出力端子２２、及び、前記制御部１の出力端子１Ｂ〜１Ｄから表示選択信号が入力する制御信号端子２３を有し、前記表示選択信号に基づいて前記複数の信号出力端子２２の中から選択した信号出力端子２２を前記信号入力端子２１に導通させるデマルチプレクサ２０が設けられている。なお、本装置では、２回路入りのマルチプレクサ／デマルチプレクサを使用して、２回路のうちの一方をマルチプレクサ１０に構成し、他方をデマルチプレクサ２０に構成している。
【００２０】
上記操作スイッチＳＷ１〜ＳＷ４は押しボタン式スイッチで構成され、押されない状態では電源Ｖｃｃに接続された各抵抗Ｒ１によってハイレベル（Ｈ）信号が信号入力端子１１に入力し、押された状態ではアースに接続されてローレベル（Ｌ）信号が信号入力端子１１に入力する。操作スイッチＳＷ１〜ＳＷ４は、着信に応じて通話を開始するための通話開始スイッチや、通話を終了するための通話終了スイッチや、電源スイッチなどである。
【００２１】
また、上記表示用の駆動信号源が、上記デマルチプレクサ２０に動作用電力を供給する電源Ｖｃｃで兼用構成され、表示素子ＬＥＤ１〜ＬＥＤ４はＬＥＤタイプの表示器で構成され、夫々電流制限抵抗Ｒ２を介してアースに接続されている。そして、表示素子ＬＥＤ１〜ＬＥＤ４は、携帯電話機５に外部から電話がかかってきたことを知らせる着信表示や、通話中であることを知らせる通話中表示などの表示を行う。なお、リモコン部２に装着したバッテリーＢＴの電圧をＤＣ／ＤＣ変換して安定化した電源Ｖｃｃを生成し、この電源Ｖｃｃをリモコン部２の各部に供給すると共に、制御部１側に供給している。
【００２２】
上記リモコン部２は有線式のリモコン線７によって制御部１と接続され、このリモコン線７は、電源ＶｃｃとアースＧＮＤの２本の線に、制御部１の入力端子１Ａに接続される１本の線と、制御部１の出力端子１Ｂ〜１Ｄに接続される３本の線を加えた合計６本の信号線からなる。
【００２３】
制御部１には４つの入出力ポートＰＩＯ１〜ＰＩＯ４を備えたマイコン８が設けられ、このマイコン８の１つの入出力ポートＰＩＯ１が制御部１の入力端子１Ａに接続され、他の３つの入出力ポートＰＩＯ２〜ＰＩＯ４の夫々がトランジスタＴＲ１〜ＴＲ３でバッファー（反転）されてから制御部１の出力端子１Ｂ〜１Ｄに接続されている。従って、マイコン８の３つの入出力ポートＰＩＯ２〜ＰＩＯ４の出力の反転信号が、リモコン部２側に前記スイッチ切替信号及び表示切替信号となる３つの制御信号Ｓ０，Ｓ１，１ＯＥとして入力する。そして、この３つの制御信号Ｓ０，Ｓ１，１ＯＥに、１ＯＥを反転させた２ＯＥを加えた４つの制御信号Ｓ０，Ｓ１，１ＯＥ，２ＯＥで前記マルチプレクサ１０及びデマルチプレクサ２０の動作が制御される。なお、図では、１ＯＥと２ＯＥに、反転バーを表す上線を付している。
【００２４】
図３及び図４に上記制御信号Ｓ０，Ｓ１，１ＯＥ，２ＯＥによるマルチプレクサ１０及びデマルチプレクサ２０の動作の一例を示す。横軸は時間軸であり、期間Ｔ０〜Ｔ１で各操作スイッチＳＷ１〜ＳＷ４の信号検知が行われ、期間Ｔ１〜Ｔ２で前記表示素子ＬＥＤ１〜ＬＥＤ４の駆動が行われる。なお、期間Ｔ０〜Ｔ２の長さは、スイッチＳＷ１〜ＳＷ４の押し操作時間や、表示素子ＬＥＤ１〜ＬＥＤ４の表示（点灯）時間に比べて十分に短い時間に設定されている。
【００２５】
期間Ｔ０〜Ｔ１は４つのサブ期間に分割され、各サブ期間に対してマイコン８の３つの入出力ポートＰＩＯ２〜ＰＩＯ４の出力信号を図３及び図４のように変化させると、複数の信号入力端子１１の各信号が順次マイコン８の入出力ポートＰＩＯ１に入力する。従って、マイコン８は３つの入出力ポートＰＩＯ２〜ＰＩＯ４の出力信号の状態と、そのときの入出力ポートＰＩＯ１の入力信号の値から、いずれの操作スイッチＳＷ１〜ＳＷ４が押されたかを判定することができる。例えば、ＰＩＯ２＝ハイレベル（Ｓ０＝ローレベル）、ＰＩＯ３＝ハイレベル（Ｓ１＝ローレベル）、ＰＩＯ４＝ローレベル（１ＯＥ＝ハイレベル）のときに、入出力ポートＰＩＯ１＝ローレベルを検知すれば、操作スイッチＳＷ１が押されたと判定され、入出力ポートＰＩＯ１＝ハイレベルを検知すれば、操作スイッチＳＷ１が押されていないと判定される。
【００２６】
期間Ｔ１〜Ｔ２は表示作動させる表示素子ＬＥＤ１〜ＬＥＤ４の数のサブ期間からなる。例えば、４つの表示素子ＬＥＤ１〜ＬＥＤ４を全て表示作動させるときは、４つの各サブ期間に対してマイコン８の３つの入出力ポートＰＩＯ２〜ＰＩＯ４の出力信号を図３のように変化させると、４つの表示素子ＬＥＤ１〜ＬＥＤ４が各サブ期間で順次点灯する。以後、点灯させる期間繰り返す。一方、特定の表示素子例えばＬＥＤ２だけを点灯させる場合は、図４のように、期間Ｔ１〜Ｔ２を１つのサブ期間で構成し、ＰＩＯ２＝ローレベル（Ｓ０＝ハイレベル）、ＰＩＯ３＝ハイレベル（Ｓ１＝ローレベル）、ＰＩＯ４＝ハイレベル（２ＯＥ＝ハイレベル）の信号を繰り返し出力する。
【００２７】
〔別実施形態〕
上記実施形態では、リモコン部２に操作スイッチＳＷ１〜ＳＷ４の信号検知を行うマルチプレクサ１０と表示素子ＬＥＤ１〜ＬＥＤ４の駆動を行うデマルチプレクサ２０の両方を設けたが、別実施形態として、図５に示すように、リモコン部２に操作スイッチの信号検知を行うマルチプレクサ３０だけを設けるようにしてもよい。
すなわち、この形態では、リモコン部２に、複数の操作スイッチＳＷ１〜ＳＷ８が設けられるとともに、複数の操作スイッチＳＷ１〜ＳＷ８の夫々に接続された複数の信号入力端子３１、制御部１の入力端子１Ａに接続された信号出力端子３２、及び、制御部１の出力端子１Ｂ〜１Ｄからスイッチ切替信号が入力する制御信号端子３３を有し、前記スイッチ切替信号に基づいて前記複数の信号入力端子３１を択一的に切り替えて前記信号出力端子３２に導通させるマルチプレクサ３０が設けられている。
【００２８】
あるいは、図６に示すように、リモコン部２に表示素子の駆動を行うデマルチプレクサ４０だけを設けるようにしてもよい。
すなわち、この形態では、リモコン部２に、複数の表示素子ＬＥＤ１〜ＬＥＤ８が設けられるとともに、駆動信号源（電源Ｖｃｃ）から表示用駆動信号が入力する信号入力端子４１、複数の表示素子ＬＥＤ１〜ＬＥＤ８の夫々に接続された複数の信号出力端子４２、及び、制御部１の出力端子１Ｂ〜１Ｄから表示選択信号が入力する制御信号端子４３を有し、前記表示選択信号に基づいて複数の信号出力端子４２の中から選択した信号出力端子４２を前記信号入力端子４１に導通させるデマルチプレクサ４０が設けられている。
【００２９】
なお、上記実施形態では、複数の操作スイッチＳＷ１〜ＳＷ８の数をマルチプレクサ１０，３０の切替可能な最大端子数と同じ数にし、複数の表示素子ＬＥＤ１〜ＬＥＤ８の数をデマルチプレクサ２０，４０の切替可能な最大端子数と同じ数にした例を示したが、操作スイッチＳＷ１〜ＳＷ８の数や表示素子ＬＥＤ１〜ＬＥＤ８の数は、状況によりマルチプレクサ１０，３０及びデマルチプレクサ２０，４０の切替可能な最大端子数よりも少ない数でもよい。
【００３０】
上記実施形態では、本発明に係る制御装置を車載用に適用したが、車載用以外の各種用途に使用される制御装置として用いることができる。
【図面の簡単な説明】
【図１】本発明の制御装置を適用した車載用ハンズフリーシステムの制御構成図と外観図
【図２】本発明の制御装置の主要部の構成を示す電気回路図
【図３】本発明の制御装置の動作を説明するためのタイムチャート
【図４】本発明の制御装置の動作を説明するためのタイムチャート
【図５】別実施形態に係る本発明の制御装置の主要部の構成を示す電気回路図
【図６】別実施形態に係る本発明の制御装置の主要部の構成を示す電気回路図
【符号の説明】
１                  制御部
１Ａ                入力端子
１Ｂ〜１Ｃ          出力端子
２                  リモコン部
３                  音声入力機器
４                  音声出力機器
５                  電話機
１０                マルチプレクサ
１１                信号入力端子
１２                信号出力端子
１３                制御信号端子
２０                デマルチプレクサ
２１                信号入力端子
２２                信号出力端子
２３                制御信号端子
３０                マルチプレクサ
３１                信号入力端子
３２                信号出力端子
３３                制御信号端子
４０                デマルチプレクサ
４１                信号入力端子
４２                信号出力端子
４３                制御信号端子
Ｋ                  機器
ＬＥＤ１〜ＬＥＤ８  表示素子
ＳＷ１〜ＳＷ８      操作スイッチ
Ｖｃｃ              電源（駆動信号源）
【図１】
2004343306.tif 000003
【図２】
2004343306.tif 000004
【図３】
2004343306.tif 000005
【図４】
2004343306.tif 000006
【図５】
2004343306.tif 000007
【図６】
2004343306.tif 000008